(57)【要約】 【課題】スマートフォンと特殊な導電性インクでプリントしたカードを用いて画像の変化を楽しむことができるカード捲り連動型アプリケーションを提案することを目的とする。【解決手段】タッチパネル、オペレーディングシステムに後続するアプリケーションに複数のタッチを感知するイベント処理エリアを設けたスマートフォンと、導電性インクで構成される複数の島状感応部を導通接続した接触型ＩＤカードとからなり、該ＩＤカードはタッチパネル上に載せるとともに、該ＩＤカードのめくる動作で該ＩＤカードとスマートフォンとの触点の変化を検知することにより画像の変化を行うようにしたカード捲り連動型アプリケーション。【選択図】図２
2015197903.tif 000002
【特許請求の範囲】
【請求項１】
タッチパネル、オペレーディングシステムに後続するアプリケーションに複数のタッチを感知するイベント処理エリアを設けたデバイスと、導電性インクで構成される複数の島状感応部を導通接続した接触型ＩＤカードとからなり、該ＩＤカードはタッチパネル上に載せるとともに、該ＩＤカードのめくる動作で該ＩＤカードとタッチパネルとの接触点の変化を検知することによりアプリケーションの変化を行うようにしたカード捲り連動型アプリケーション。
【請求項２】
アプリケーションが画像である請求項１記載のカード捲り連動型アプリケーション。
【発明の詳細な説明】
【技術分野】
【０００１】
本発明は、スマートフォン等を用いて画像変化を楽しむカード捲り連動型アプリケーションに関するものである。
【背景技術】
【０００２】
トレーディングカードゲームという、カードにコンテンツを印刷されたものが普及している、これはコレクション性、ゲーム性があり、巨大な市場となっている。  
【０００３】
一方、スマートフォンに代表されるようにタッチデバイスが普及している。また、この２つを融合するためのタッチデバイスに反応することができる特殊な導電性インクで印刷したカードが開発されている。
【０００４】
【先行技術文献】
【特許文献】
【０００５】
【特許文献１】特開２００７−２９６３８１
【発明の概要】
【発明が解決しようとする課題】
【０００６】
本発明はスマートフォンに代表されるデバイスと上述の特殊な導電性インクでプリントしたカードを用いてアプリケーションの変化を楽しむことができる方法を提案することを目的とする。
【課題を解決するための手段】
【０００７】
そこで、本発明ではタッチパネル、オペレーディングシステムに後続するアプリケーションに複数のタッチを感知するイベント処理エリアを設けたデバイスと、導電性インクで構成される複数の島状感応部を導通接続した接触型ＩＤカードとからなり、該ＩＤカードはタッチパネル上に置くとともに、該ＩＤカードのめくる動作で該ＩＤカードとタッチパネルとの接触点の変化を検知することによりアプリケーションの変化を行うようにしたカード捲り連動型アプリケーションを提案するものである。
【０００８】
本発明では接触型ＩＤカードを基体のタッチパネルに置くことで、複数点の接触位置をデバイスに伝えることができ、上記ＩＤカードにはその複数点の接触位置をもってＩＤ機能（カード種特定）を持たせることができる。
【発明の効果】
【０００９】
本発明ではタッチパネルに被せた接触型ＩＤカードをめくることにより、このめくる動作で上記ＩＤカードとタッチパネルとの接触点の変化を検知することによりアプリケーション、例えば画像の変化をもたらすことができる。
【００１０】
また、本発明によればアプリケーションコントロールを行うことが可能となり、体験者には「カードをめくる」ことにより「画像を変化させる」という今までになかった体験をさせることができる。
【図面の簡単な説明】
【００１１】
【図１】本発明で使用する接触型ＩＤの製法の一例を示すもので、図１ａは導電性インクでカードの一面にパターンをプリントした状態、図１ｂはパターン上の導電コネクタ部を絶縁性インクでプリントした状態を示す図
【図２】本発明のプログラムのフローチャート
【図３】上述のフローチャートに従ってデバイスにカードが載った状態を検知して画像Ａを出力する状態を示す図。
【図４】上述のフローチャートに従ってカードを少しのめくりでは、接触点に変化がないためアプリケーションによる画像Ａが出力されている状態を示す図
【図５】上述のフローチャートに従って更にカードをめくり、接触点の変化を検知し、画像Ｂを出力する状態を示す図
【図６】上述のフローチャートに従ってカードを完全にめくり、画像Ｃが出力される状態を示す図
【発明を実施するための形態】
【００１２】
タッチパネル、オペレーディングシステムに後続するアプリケーションに複数のタッチを感知するイベント処理エリアを設けたスマートフォンと、導電性インクで構成される複数の島状感応部を導通接続した接触型ＩＤカードとからなり、該ＩＤカードはタッチパネル上に載せるとともに、該ＩＤカードのめくる動作で該ＩＤカードとスマートフォンとの接触点の変化を検知することにより画像の変化を行うようにしたカード捲り連動型アプリケーションカード捲り連動型アプリケーション。  
【実施例１】
【００１３】
以下、本発明を図示の実施例を説明すると、１はスマートフォン等で構成されるデバイス、デバイス１はタッチパネル、オペレーディングシステムに後続するアプリケーションに複数のタッチを感知するイベント処理エリアが設けられている。
【００１４】
２は導電性インクで構成される複数の島状タッチを導通接続した接触型ＩＤカードを示すものである。
【００１５】
その製法の一例を図１に従って説明すると、カード２の一面に導電性インクにより導通コネクター部３，・・・により接続された複数の島状感応部４，・・・をプリントされる（図１ａ）。なお、カード２の下部の広くプリントされた部分Ａは実施者の把持部である。
【００１６】
次に、導通コネクター部３，・・・を絶縁性インクでプリントすることにより、感応部４，・・・の感応精度を高めるようにしてある（図１ｂ）。なお、これらのインクを不可視なものとすることにより、訴求力の高い絵を生かすことができる。
【００１７】
更に、本発明を3点の感応部４を有するカード２を用いたプログラムのフローチャート（図２）とこれに対応する実例（図３〜図６）をもって説明すると、カード２をデバイス１上に3点感応部４の接触が安定したか否かを判定し、安定した場合、即ちカード２がデバイス１上に載った状態を検知したら画像Ａを出力する（図３）。
【００１８】
次に、カード２をめくっていく。少しのめくりでは、接触点に変化がないためアプリケーションによる画像Ａが出力されている（図４）。
【００１９】
更に、カード２をめくると、接触点の減少を検知し、即ちカード２をめくれた状態を検知し、画像Ｂを出力する（図５）。
【００２０】
完全にめくった状態では接触点がなくなり、カード２が取り除かれた状態を検知し、画像Ｃが出力する（図６）。
【００２１】
このように、カード２をめくる過程で画像をコントロールすることが可能である。
【産業上の利用可能性】
【００２２】
本発明はスマートフォンに代表されるデバイスと特殊な導電性インクでプリントしたカードを用いてアプリケーションの変化を楽しむことができるカード捲り連動型アプリケーションを提供できる。
【符号の説明】
【００２３】
１はデバイス
２はカード
３は導通コネクター部
４は感応部
【図１】
2015197903.tif 000003
【図２】
2015197903.tif 000004
【図３】
2015197903.tif 000005
【図４】
2015197903.tif 000006
【図５】
2015197903.tif 000007
【図６】
2015197903.tif 000008